(57)【要約】【課題】スイッチング損失を低減することができる昇降圧変換装置、コンピュータプログラム及び昇降圧変換装置の制御方法を提供する。【解決手段】制御部は、昇圧変換時に、第１高圧側スイッチングデバイス及び第１低圧側スイッチングデバイスをオンにして第１インダクタに電流を流す昇圧第１モードで動作させ、昇圧第１モードでの動作後に第１低圧側スイッチングデバイスをオフにして第１インダクタ及びキャパシタによる共振電流を流す昇圧第２モードで動作させ、昇圧第２モードでの動作後に第２高圧側スイッチングデバイスをオンにして第１インダクタ、第２インダクタ及びキャパシタによる共振電流を流す昇圧第３モードで動作させ、昇圧第３モードで第１低圧側スイッチングデバイスの電圧が所定の電圧閾値以下になった場合、第１低圧側スイッチングデバイスをオンにする昇圧第４モードで動作させる。【選択図】図１
2017184556.tif 000002
【特許請求の範囲】
【請求項１】
第１高圧側スイッチングデバイスと、該第１高圧側スイッチングデバイスに一端を接続した第１インダクタと、第２高圧側スイッチングデバイスと、該第２高圧側スイッチングデバイスに一端を接続した第２インダクタと、前記第１インダクタの他端及び前記第２インダクタの他端同士の接続点に一端を接続した第１低圧側スイッチングデバイスと、該第１低圧側スイッチングデバイスに対して並列に存在するキャパシタと、各スイッチングデバイスをオン／オフして所定の動作モードで動作させる制御部とを備える昇降圧変換装置であって、
前記制御部は、昇圧変換時に、
前記第１高圧側スイッチングデバイス及び前記第１低圧側スイッチングデバイスをオンにして前記第１インダクタに電流を流す昇圧第１モードで動作させ、
該昇圧第１モードでの動作後に前記第１低圧側スイッチングデバイスをオフにして前記第１インダクタ及び前記キャパシタによる共振電流を流す昇圧第２モードで動作させ、
該昇圧第２モードでの動作後に前記第２高圧側スイッチングデバイスをオンにして前記第１インダクタ、第２インダクタ及び前記キャパシタによる共振電流を流す昇圧第３モードで動作させ、
該昇圧第３モードで前記第１低圧側スイッチングデバイスの電圧が所定の電圧閾値以下になった場合、該第１低圧側スイッチングデバイスをオンにする昇圧第４モードで動作させ、
該昇圧第４モードでの動作後に前記昇圧第１モードへ移行させる昇降圧変換装置。
【請求項２】
前記制御部は、降圧変換時に、
前記第１高圧側スイッチングデバイス及び前記第２高圧側スイッチングデバイスをオンにし、前記第１低圧側スイッチングデバイスをオフにして、前記第１インダクタ及び前記キャパシタによる共振電流を流す降圧第１モードで動作させ、
該降圧第１モードでの動作後に前記第１高圧側スイッチングデバイスをオフにして前記キャパシタの電荷を放出させる降圧第２モードで動作させ、
該降圧第２モードで前記第１低圧側スイッチングデバイスの電圧が所定の電圧閾値以下になった場合、該第１低圧側スイッチングデバイスをオンにする降圧第３モードで動作させ、
該降圧第３モードでの動作後に前記降圧第１モードへ移行させる請求項１に記載の昇降圧変換装置。
【請求項３】
前記第２高圧側スイッチングデバイスと前記第２インダクタとの接続点に接続され、前記２高圧側スイッチングデバイスと直列をなす第２低圧側スイッチングデバイスを備え、
前記制御部は、
前記昇圧第３モードで前記第２低圧側スイッチングデバイスをオンにする昇圧第５モードで動作させ、
該昇圧第５モードでの動作後に前記昇圧第４モードへ移行させる請求項１又は請求項２に記載の昇降圧変換装置。
【請求項４】
前記制御部は、
前記降圧第２モードで前記第２低圧側スイッチングデバイスをオンにする降圧第４モードで動作させ、
該降圧第４モードでの動作後に前記降圧第３モードへ移行させる請求項３に記載の昇降圧変換装置。
【請求項５】
前記第１低圧側スイッチングデバイスの電圧を検出する電圧検出部を備え、
前記制御部は、
前記電圧検出部で検出した電圧が前記電圧閾値以下である場合、前記第１低圧側スイッチングデバイスをオンにする請求項１又は請求項２に記載の昇降圧変換装置。
【請求項６】
コンピュータに、第１高圧側スイッチングデバイスと、該第１高圧側スイッチングデバイスに一端を接続した第１インダクタと、第２高圧側スイッチングデバイスと、該第２高圧側スイッチングデバイスに一端を接続した第２インダクタと、前記第１インダクタの他端及び前記第２インダクタの他端同士の接続点に一端を接続した第１低圧側スイッチングデバイスと、該第１低圧側スイッチングデバイスに対して並列に存在するキャパシタとを備える昇降圧変換装置を制御させるためのコンピュータプログラムであって、
コンピュータを、
各スイッチングデバイスをオン／オフして所定の動作モードで動作させる制御部として機能させ、
前記制御部は、昇圧変換時に、
前記第１高圧側スイッチングデバイス及び前記第１低圧側スイッチングデバイスをオンにして前記第１インダクタに電流を流す昇圧第１モードで動作させ、
該昇圧第１モードでの動作後に前記第１低圧側スイッチングデバイスをオフにして前記第１インダクタ及び前記キャパシタによる共振電流を流す昇圧第２モードで動作させ、
該昇圧第２モードでの動作後に前記第２高圧側スイッチングデバイスをオンにして前記第１インダクタ、第２インダクタ及び前記キャパシタによる共振電流を流す昇圧第３モードで動作させ、
該昇圧第３モードで前記第１低圧側スイッチングデバイスの電圧が所定の電圧閾値以下になった場合、該第１低圧側スイッチングデバイスをオンにする昇圧第４モードで動作させ、
該昇圧第４モードでの動作後に前記昇圧第１モードへ移行させる処理を実行するコンピュータプログラム。
【請求項７】
第１高圧側スイッチングデバイスと、該第１高圧側スイッチングデバイスに一端を接続した第１インダクタと、第２高圧側スイッチングデバイスと、該第２高圧側スイッチングデバイスに一端を接続した第２インダクタと、前記第１インダクタの他端及び前記第２インダクタの他端同士の接続点に一端を接続した第１低圧側スイッチングデバイスと、該第１低圧側スイッチングデバイスに対して並列に存在するキャパシタとを備える昇降圧変換装置の制御方法であって、
各スイッチングデバイスをオン／オフして所定の動作モードで制御部が動作させ、
前記制御部は、昇圧変換時に、
前記第１高圧側スイッチングデバイス及び前記第１低圧側スイッチングデバイスをオンにして前記第１インダクタに電流を流す昇圧第１モードで動作させ、
該昇圧第１モードでの動作後に前記第１低圧側スイッチングデバイスをオフにして前記第１インダクタ及び前記キャパシタによる共振電流を流す昇圧第２モードで動作させ、
該昇圧第２モードでの動作後に前記第２高圧側スイッチングデバイスをオンにして前記第１インダクタ、第２インダクタ及び前記キャパシタによる共振電流を流す昇圧第３モードで動作させ、
該昇圧第３モードで前記第１低圧側スイッチングデバイスの電圧が所定の電圧閾値以下になった場合、該第１低圧側スイッチングデバイスをオンにする昇圧第４モードで動作させ、
該昇圧第４モードでの動作後に前記昇圧第１モードへ移行させる昇降圧変換装置の制御方法。
【発明の詳細な説明】
【技術分野】
【０００１】
本発明は、昇降圧変換装置、該昇降圧変換装置を制御するためのコンピュータプログラム及び前記昇降圧変換装置の制御方法に関する。
【背景技術】
【０００２】
近年、自動車への４８Ｖシステムへの搭載が検討されている。４８Ｖシステムは、小容量のバッテリ、ＤＣ／ＤＣコンバータ、モータ／オルタネータ等で構成され、減速エネルギーによりオルタネータで発電し、加速時にはバッテリ電力でモータがエンジンアシストすることで、燃費向上が可能なシステムである。
【０００３】
このため、車両には、４８Ｖと従来の１２Ｖの直流電圧を変換するＤＣ／ＤＣコンバータが搭載されている。また、近年では、機器の小型化要求が高く、受動素子の小型化のためＤＣ／ＤＣコンバータの駆動周波数が高くなってきている。しかし、駆動周波数を高くすると、ＩＧＢＴ（Insulated Gate Bipolar Transistor）又はＦＥＴなどのスイッチングデバイスのスイッチング損失が大きくなる。そこで、スイッチング損失を低減すべくゼロ電圧でスイッチングを行う降圧型コンバータが開示されている（特許文献１参照）。
【先行技術文献】
【特許文献】
【０００４】
【特許文献１】特開２００２−２６２５５２号公報
【発明の概要】
【発明が解決しようとする課題】
【０００５】
しかし、特許文献１のような従来のＤＣ／ＤＣコンバータでは、降圧変換を行う場合には、ゼロ電圧でスイッチングを行ってスイッチング損失を低減することができるが、昇圧変換を行う場合については考慮されていない。
【０００６】
本発明は、斯かる事情に鑑みてなされたものであり、スイッチング損失を低減することができる昇降圧変換装置、該昇降圧変換装置を制御するためのコンピュータプログラム及び前記昇降圧変換装置の制御方法を提供することを目的とする。
【課題を解決するための手段】
【０００７】
本発明の実施の形態に係る昇降圧変換装置は、第１高圧側スイッチングデバイスと、該第１高圧側スイッチングデバイスに一端を接続した第１インダクタと、第２高圧側スイッチングデバイスと、該第２高圧側スイッチングデバイスに一端を接続した第２インダクタと、前記第１インダクタの他端及び前記第２インダクタの他端同士の接続点に一端を接続した第１低圧側スイッチングデバイスと、該第１低圧側スイッチングデバイスに対して並列に存在するキャパシタと、各スイッチングデバイスをオン／オフして所定の動作モードで動作させる制御部とを備える昇降圧変換装置であって、前記制御部は、昇圧変換時に、前記第１高圧側スイッチングデバイス及び前記第１低圧側スイッチングデバイスをオンにして前記第１インダクタに電流を流す昇圧第１モードで動作させ、該昇圧第１モードでの動作後に前記第１低圧側スイッチングデバイスをオフにして前記第１インダクタ及び前記キャパシタによる共振電流を流す昇圧第２モードで動作させ、該昇圧第２モードでの動作後に前記第２高圧側スイッチングデバイスをオンにして前記第１インダクタ、第２インダクタ及び前記キャパシタによる共振電流を流す昇圧第３モードで動作させ、該昇圧第３モードで前記第１低圧側スイッチングデバイスの電圧が所定の電圧閾値以下になった場合、該第１低圧側スイッチングデバイスをオンにする昇圧第４モードで動作させ、該昇圧第４モードでの動作後に前記昇圧第１モードへ移行させる。
【０００８】
本発明の実施の形態に係るコンピュータプログラムは、コンピュータに、第１高圧側スイッチングデバイスと、該第１高圧側スイッチングデバイスに一端を接続した第１インダクタと、第２高圧側スイッチングデバイスと、該第２高圧側スイッチングデバイスに一端を接続した第２インダクタと、前記第１インダクタの他端及び前記第２インダクタの他端同士の接続点に一端を接続した第１低圧側スイッチングデバイスと、該第１低圧側スイッチングデバイスに対して並列に存在するキャパシタとを備える昇降圧変換装置を制御させるためのコンピュータプログラムであって、コンピュータを、各スイッチングデバイスをオン／オフして所定の動作モードで動作させる制御部として機能させ、前記制御部は、昇圧変換時に、前記第１高圧側スイッチングデバイス及び前記第１低圧側スイッチングデバイスをオンにして前記第１インダクタに電流を流す昇圧第１モードで動作させ、該昇圧第１モードでの動作後に前記第１低圧側スイッチングデバイスをオフにして前記第１インダクタ及び前記キャパシタによる共振電流を流す昇圧第２モードで動作させ、該昇圧第２モードでの動作後に前記第２高圧側スイッチングデバイスをオンにして前記第１インダクタ、第２インダクタ及び前記キャパシタによる共振電流を流す昇圧第３モードで動作させ、該昇圧第３モードで前記第１低圧側スイッチングデバイスの電圧が所定の電圧閾値以下になった場合、該第１低圧側スイッチングデバイスをオンにする昇圧第４モードで動作させ、該昇圧第４モードでの動作後に前記昇圧第１モードへ移行させる処理を実行する。
【０００９】
本発明の実施の形態に係る昇降圧変換装置の制御方法は、第１高圧側スイッチングデバイスと、該第１高圧側スイッチングデバイスに一端を接続した第１インダクタと、第２高圧側スイッチングデバイスと、該第２高圧側スイッチングデバイスに一端を接続した第２インダクタと、前記第１インダクタの他端及び前記第２インダクタの他端同士の接続点に一端を接続した第１低圧側スイッチングデバイスと、該第１低圧側スイッチングデバイスに対して並列に存在するキャパシタとを備える昇降圧変換装置の制御方法であって、各スイッチングデバイスをオン／オフして所定の動作モードで制御部が動作させ、前記制御部は、昇圧変換時に、前記第１高圧側スイッチングデバイス及び前記第１低圧側スイッチングデバイスをオンにして前記第１インダクタに電流を流す昇圧第１モードで動作させ、該昇圧第１モードでの動作後に前記第１低圧側スイッチングデバイスをオフにして前記第１インダクタ及び前記キャパシタによる共振電流を流す昇圧第２モードで動作させ、該昇圧第２モードでの動作後に前記第２高圧側スイッチングデバイスをオンにして前記第１インダクタ、第２インダクタ及び前記キャパシタによる共振電流を流す昇圧第３モードで動作させ、該昇圧第３モードで前記第１低圧側スイッチングデバイスの電圧が所定の電圧閾値以下になった場合、該第１低圧側スイッチングデバイスをオンにする昇圧第４モードで動作させ、該昇圧第４モードでの動作後に前記昇圧第１モードへ移行させる。
【発明の効果】
【００１０】
本発明によれば、スイッチング損失を低減することができる。
【図面の簡単な説明】
【００１１】
【図１】本実施の形態の昇降圧変換装置の回路構成の一例を示す説明図である。
【図２】本実施の形態の昇降圧変換装置の昇圧動作の状態Ｕ１の一例を示す説明図である。
【図３】本実施の形態の昇降圧変換装置の昇圧動作の状態Ｕ２の一例を示す説明図である。
【図４】本実施の形態の昇降圧変換装置の昇圧動作の状態Ｕ３の一例を示す説明図である。
【図５】本実施の形態の昇降圧変換装置の昇圧動作の状態Ｕ４の一例を示す説明図である。
【図６】本実施の形態の昇降圧変換装置の昇圧動作の状態Ｕ５の一例を示す説明図である。
【図７】本実施の形態の昇降圧変換装置の降圧動作の状態Ｄ１の一例を示す説明図である。
【図８】本実施の形態の昇降圧変換装置の降圧動作の状態Ｄ２の一例を示す説明図である。
【図９】本実施の形態の昇降圧変換装置の降圧動作の状態Ｄ３の一例を示す説明図である。
【図１０】本実施の形態の昇降圧変換装置の降圧動作の状態Ｄ４の一例を示す説明図である。
【図１１】本実施の形態の昇降圧変換装置の降圧動作の状態Ｄ５の一例を示す説明図である。
【図１２】本実施の形態の昇降圧変換装置の変換動作の処理手順の第１例を示すフローチャートである。
【図１３】本実施の形態の昇降圧変換装置の変換動作の処理手順の第２例を示すフローチャートである。
【発明を実施するための形態】
【００１２】
［本願発明の実施形態の説明］
本発明の実施の形態に係る昇降圧変換装置は、第１高圧側スイッチングデバイスと、該第１高圧側スイッチングデバイスに一端を接続した第１インダクタと、第２高圧側スイッチングデバイスと、該第２高圧側スイッチングデバイスに一端を接続した第２インダクタと、前記第１インダクタの他端及び前記第２インダクタの他端同士の接続点に一端を接続した第１低圧側スイッチングデバイスと、該第１低圧側スイッチングデバイスに対して並列に存在するキャパシタと、各スイッチングデバイスをオン／オフして所定の動作モードで動作させる制御部とを備える昇降圧変換装置であって、前記制御部は、昇圧変換時に、前記第１高圧側スイッチングデバイス及び前記第１低圧側スイッチングデバイスをオンにして前記第１インダクタに電流を流す昇圧第１モードで動作させ、該昇圧第１モードでの動作後に前記第１低圧側スイッチングデバイスをオフにして前記第１インダクタ及び前記キャパシタによる共振電流を流す昇圧第２モードで動作させ、該昇圧第２モードでの動作後に前記第２高圧側スイッチングデバイスをオンにして前記第１インダクタ、第２インダクタ及び前記キャパシタによる共振電流を流す昇圧第３モードで動作させ、該昇圧第３モードで前記第１低圧側スイッチングデバイスの電圧が所定の電圧閾値以下になった場合、該第１低圧側スイッチングデバイスをオンにする昇圧第４モードで動作させ、該昇圧第４モードでの動作後に前記昇圧第１モードへ移行させる。
【００１３】
本発明の実施の形態に係るコンピュータプログラムは、コンピュータに、第１高圧側スイッチングデバイスと、該第１高圧側スイッチングデバイスに一端を接続した第１インダクタと、第２高圧側スイッチングデバイスと、該第２高圧側スイッチングデバイスに一端を接続した第２インダクタと、前記第１インダクタの他端及び前記第２インダクタの他端同士の接続点に一端を接続した第１低圧側スイッチングデバイスと、該第１低圧側スイッチングデバイスに対して並列に存在するキャパシタとを備える昇降圧変換装置を制御させるためのコンピュータプログラムであって、コンピュータを、各スイッチングデバイスをオン／オフして所定の動作モードで動作させる制御部として機能させ、前記制御部は、昇圧変換時に、前記第１高圧側スイッチングデバイス及び前記第１低圧側スイッチングデバイスをオンにして前記第１インダクタに電流を流す昇圧第１モードで動作させ、該昇圧第１モードでの動作後に前記第１低圧側スイッチングデバイスをオフにして前記第１インダクタ及び前記キャパシタによる共振電流を流す昇圧第２モードで動作させ、該昇圧第２モードでの動作後に前記第２高圧側スイッチングデバイスをオンにして前記第１インダクタ、第２インダクタ及び前記キャパシタによる共振電流を流す昇圧第３モードで動作させ、該昇圧第３モードで前記第１低圧側スイッチングデバイスの電圧が所定の電圧閾値以下になった場合、該第１低圧側スイッチングデバイスをオンにする昇圧第４モードで動作させ、該昇圧第４モードでの動作後に前記昇圧第１モードへ移行させる処理を実行する。
【００１４】
本発明の実施の形態に係る昇降圧変換装置の制御方法は、第１高圧側スイッチングデバイスと、該第１高圧側スイッチングデバイスに一端を接続した第１インダクタと、第２高圧側スイッチングデバイスと、該第２高圧側スイッチングデバイスに一端を接続した第２インダクタと、前記第１インダクタの他端及び前記第２インダクタの他端同士の接続点に一端を接続した第１低圧側スイッチングデバイスと、該第１低圧側スイッチングデバイスに対して並列に存在するキャパシタとを備える昇降圧変換装置の制御方法であって、各スイッチングデバイスをオン／オフして所定の動作モードで制御部が動作させ、前記制御部は、昇圧変換時に、前記第１高圧側スイッチングデバイス及び前記第１低圧側スイッチングデバイスをオンにして前記第１インダクタに電流を流す昇圧第１モードで動作させ、該昇圧第１モードでの動作後に前記第１低圧側スイッチングデバイスをオフにして前記第１インダクタ及び前記キャパシタによる共振電流を流す昇圧第２モードで動作させ、該昇圧第２モードでの動作後に前記第２高圧側スイッチングデバイスをオンにして前記第１インダクタ、第２インダクタ及び前記キャパシタによる共振電流を流す昇圧第３モードで動作させ、該昇圧第３モードで前記第１低圧側スイッチングデバイスの電圧が所定の電圧閾値以下になった場合、該第１低圧側スイッチングデバイスをオンにする昇圧第４モードで動作させ、該昇圧第４モードでの動作後に前記昇圧第１モードへ移行させる。
【００１５】
制御部は、昇圧変換時に、第１高圧側スイッチングデバイス及び第１低圧側スイッチングデバイスをオンにして第１インダクタに電流を流す昇圧第１モードで動作させる。第１低圧側スイッチングデバイスをオンにすることにより、第１インダクタにエネルギーが蓄積される。
【００１６】
制御部は、昇圧第１モードでの動作後に第１低圧側スイッチングデバイスをオフにして第１インダクタ及びキャパシタによる共振電流を流す昇圧第２モードで動作させる。第１低圧側スイッチングデバイスをオフにすることにより、第１低圧側スイッチングデバイスを流れていた電流は、第１低圧側スイッチングデバイスに並列に接続されたキャパシタを通じて流れるようになり、キャパシタと第１インダクタとの共振電流が流れる。
【００１７】
制御部は、昇圧第２モードでの動作後に第２高圧側スイッチングデバイスをオンにして第１インダクタ、第２インダクタ及びキャパシタによる共振電流を流す昇圧第３モードで動作させる。共振電流が流れ、キャパシタの電圧が負荷電圧を超えると第２高圧側スイッチングデバイスを介して共振電流が負荷側へ流れる。また、キャパシタに蓄えられた電荷も負荷側へ流れる。
【００１８】
制御部は、昇圧第３モードで第１低圧側スイッチングデバイスの電圧が所定の電圧閾値以下になった場合、第１低圧側スイッチングデバイスをオンにする昇圧第４モードで動作させる。昇圧第３モードで、キャパシタに蓄えられた電荷がなくなるとキャパシタの電圧、すなわち、第１低圧側スイッチングデバイスの電圧が所定の電圧閾値以下になる。この場合に、第１低圧側スイッチングデバイスをオンにすると、第１低圧側スイッチングデバイスの電圧は非常に小さいので、電圧×電流で表されるスイッチング損失を低減することができる。制御部は、昇圧第４モードでの動作後に昇圧第１モードへ移行させる。
【００１９】
本発明の実施の形態に係る昇降圧変換装置は、前記制御部は、降圧変換時に、前記第１高圧側スイッチングデバイス及び前記第２高圧側スイッチングデバイスをオンにし、前記第１低圧側スイッチングデバイスをオフにして、前記第１インダクタ及び前記キャパシタによる共振電流を流す降圧第１モードで動作させ、該降圧第１モードでの動作後に前記第１高圧側スイッチングデバイスをオフにして前記キャパシタの電荷を放出させる降圧第２モードで動作させ、該降圧第２モードで前記第１低圧側スイッチングデバイスの電圧が所定の電圧閾値以下になった場合、該第１低圧側スイッチングデバイスをオンにする降圧第３モードで動作させ、該降圧第３モードでの動作後に前記降圧第１モードへ移行させる。
【００２０】
制御部は、降圧変換時に、第１高圧側スイッチングデバイス及び第２高圧側スイッチングデバイスをオンにし、第１低圧側スイッチングデバイスをオフにして、第１インダクタ及びキャパシタによる共振電流を流す降圧第１モードで動作させる。第１高圧側スイッチングデバイス及び第２高圧側スイッチングデバイスをオンにすることにより、負荷側へ電流が流れる。また、第１低圧側スイッチングデバイスをオフにすることにより、第１低圧側スイッチングデバイスを流れていた電流がキャパシタに流れるようになり、第１インダクタ及びキャパシタによる共振電流がキャパシタに流れる。
【００２１】
制御部は、降圧第１モードでの動作後に第１高圧側スイッチングデバイスをオフにしてキャパシタの電荷を放出させる降圧第２モードで動作させる。降圧第１モードで第１インダクタ及びキャパシタによる共振電流の向きが反転すると第１高圧側スイッチングデバイスに流れる電流が減少して０に近づく。第１高圧側スイッチングデバイスに流れる電流が０又は小さくなったときに第１高圧側スイッチングデバイスをオフにする。これにより、キャパシタの残留電荷を、第２高圧側スイッチングデバイスを通じて負荷側へ放出する。
【００２２】
制御部は、降圧第２モードで第１低圧側スイッチングデバイスの電圧が所定の電圧閾値以下になった場合、第１低圧側スイッチングデバイスをオンにする降圧第３モードで動作させる。キャパシタの残留電荷が放出されることにより、キャパシタの電圧、すなわち第１低圧側スイッチングデバイスの電圧が所定の電圧閾値以下になった場合、第１低圧側スイッチングデバイスをオンにする。第１低圧側スイッチングデバイスの電圧は非常に小さいので、電圧×電流で表されるスイッチング損失を低減することができる。制御部は、降圧第３モードでの動作後に降圧第１モードへ移行させる。
【００２３】
本発明の実施の形態に係る昇降圧変換装置は、前記第２高圧側スイッチングデバイスと前記第２インダクタとの接続点に接続され、前記２高圧側スイッチングデバイスと直列をなす第２低圧側スイッチングデバイスを備え、前記制御部は、前記昇圧第３モードで前記第２低圧側スイッチングデバイスをオンにする昇圧第５モードで動作させ、該昇圧第５モードでの動作後に前記昇圧第４モードへ移行させる。
【００２４】
第２高圧側スイッチングデバイスと第２インダクタとの接続点に接続され、第２高圧側スイッチングデバイスと直列をなす第２低圧側スイッチングデバイスを備える。制御部は、昇圧第３モードで第２低圧側スイッチングデバイスをオンにする昇圧第５モードで動作させる。昇圧第３モードでは、キャパシタに蓄えられた電荷も負荷側へ流れるが、キャパシタに電荷が残留した場合には、キャパシタの電圧が十分小さくならない。そこで、第２低圧側スイッチングデバイスをオンにすることにより、キャパシタの電荷を第２インダクタ及び第２低圧側スイッチングデバイスを通じて放出し、キャパシタの電圧を所定の電圧閾値以下にすることができる。制御部は、昇圧第５モードでの動作後に昇圧第４モードへ移行させ、第１低圧側スイッチングデバイスをオンにする。
【００２５】
本発明の実施の形態に係る昇降圧変換装置は、前記制御部は、前記降圧第２モードで前記第２低圧側スイッチングデバイスをオンにする降圧第４モードで動作させ、該降圧第４モードでの動作後に前記降圧第３モードへ移行させる。
【００２６】
制御部は、降圧第２モードで第２低圧側スイッチングデバイスをオンにする降圧第４モードで動作させる。降圧第２モードでは、第１高圧側スイッチングデバイスをオフにしてキャパシタの電荷を放出させる。しかし、キャパシタに電荷が残留した場合には、キャパシタの電圧が十分小さくならない。そこで、第２低圧側スイッチングデバイスをオンにすることにより、キャパシタの電荷を第２インダクタ及び第２低圧側スイッチングデバイスを通じて放出し、キャパシタの電圧を所定の電圧閾値以下にすることができる。制御部は、降圧第４モードでの動作後に降圧第３モードへ移行させる。
【００２７】
本発明の実施の形態に係る昇降圧変換装置は、前記第１低圧側スイッチングデバイスの電圧を検出する電圧検出部を備え、前記制御部は、前記電圧検出部で検出した電圧が前記電圧閾値以下である場合、前記第１低圧側スイッチングデバイスをオンにする。
【００２８】
第１低圧側スイッチングデバイスの電圧を検出する電圧検出部を備える。制御部は、電圧検出部で検出した電圧が電圧閾値以下である場合、第１低圧側スイッチングデバイスをオンにする。第１低圧側スイッチングデバイスの電圧が電圧閾値以下になった場合に、第１低圧側スイッチングデバイスをオンするので、第１低圧側スイッチングデバイスがオンしたときの電圧×電流で表されるスイッチング損失を低減することができる。
【００２９】
［本願発明の実施形態の詳細］
以下、本発明を実施の形態を示す図面に基づいて説明する。図１は本実施の形態の昇降圧変換装置の回路構成の一例を示す説明図である。本実施の形態の昇降圧変換装置は、一方の入出力端である端子Ｔ１及びＧ、他方の入出力端である端子Ｔ２及びＧを備える。例えば、昇降圧変換装置の負荷側を端子Ｔ２及びＧ側であるとすると、端子Ｔ１及びＧ間の電圧Ｖ１と、端子Ｔ２及びＧ間の電圧Ｖ２とが、Ｖ１＞Ｖ２である場合には、降圧変換（降圧動作）を行い、Ｖ１＜Ｖ２である場合には、昇圧変換（昇圧動作）行う。また、昇降圧変換装置の負荷側を端子Ｔ１及びＧ側であるとすると、端子Ｔ１及びＧ間の電圧Ｖ１と、端子Ｔ２及びＧ間の電圧Ｖ２とが、Ｖ１＞Ｖ２である場合には、昇圧変換（昇圧動作）を行い、Ｖ１＜Ｖ２である場合には、降圧変換（降圧動作）行う。なお、Ｖ１＝Ｖ２の場合には、同じ電圧同士の変換となる。なお、以下では、スイッチングデバイスをＭＯＳＦＥＴ（Metal Oxide Semiconductor Field Effect Transistor）として説明するが、スイッチングデバイスはＭＯＳＦＥＴに限定されるものではなく、ＩＧＢＴ（Insulated Gate Bipolar Transistor）などのデバイスであってもよい。
【００３０】
端子Ｔ１には、第１高圧側スイッチングデバイス１１のドレインを接続してあり、第１高圧側スイッチングデバイス１１のソースには、第１インダクタ１の一端を接続してある。第１インダクタ１の他端には、第１低圧側スイッチングデバイス２３のドレインを接続してあり、第１低圧側スイッチングデバイス２３のソースは端子Ｇに接続してある。
【００３１】
また、端子Ｔ２には、第２高圧側スイッチングデバイス１２のドレインを接続してあり、第２高圧側スイッチングデバイス１２のソースには、第２インダクタ２の一端を接続してある。第２インダクタ１の他端には、第１低圧側スイッチングデバイス２３のドレインを接続してある。
【００３２】
第１低圧側スイッチングデバイス２３のドレイン・ソース間には、キャパシタ３が存在する。キャパシタ３は、第１低圧側スイッチングデバイス２３のドレイン・ソース間に部品として接続したキャパシタでもよく、あるいは、第１低圧側スイッチングデバイス２３のドレイン・ソース間に存在する寄生容量でもよい。すなわち、第１低圧側スイッチングデバイス２３に対して並列に存在するキャパシタは、部品としてのキャパシタでもよく、寄生容量であってもよい。
【００３３】
また、第２高圧側スイッチングデバイス１２と第２インダクタ２との接続点に接続され、第２高圧側スイッチングデバイス１２と直列をなす第２低圧側スイッチングデバイス２２を備える。すなわち、第２低圧側スイッチングデバイス２２のドレインは、第２高圧側スイッチングデバイス１２のソースに接続され、第２低圧側スイッチングデバイス２２のソースは、端子Ｇに接続されている。
【００３４】
同様に、第１高圧側スイッチングデバイス１１と第１インダクタ１との接続点に接続され、第１高圧側スイッチングデバイス１１と直列をなす第２低圧側スイッチングデバイス２１を備える。すなわち、第２低圧側スイッチングデバイス２１のドレインは、第１高圧側スイッチングデバイス１１のソースに接続され、第２低圧側スイッチングデバイス２１のソースは、端子Ｇに接続されている。端子Ｔ１及びＧ間には、キャパシタ４を接続してあり、端子Ｔ２及びＧ間には、キャパシタ５を接続してある。
【００３５】
制御部５０は、第１高圧側スイッチングデバイス１１、第２高圧側スイッチングデバイス１２、第１低圧側スイッチングデバイス２３、第２低圧側スイッチングデバイス２１、２２のオン・オフを制御する。また、制御部５０は、昇降圧変換装置を後述の各動作モードで動作させる。また、制御部５０は、第１低圧側スイッチングデバイス２３のドレイン・ソース間の電圧、すなわちキャパシタ３の両端の電圧を検出する電圧検出部としての機能を有する。
【００３６】
なお、端子Ｔ２及びＧ側を負荷側とする場合には、前述のとおりの名称とするが、端子Ｔ１及びＧ側を負荷側とする場合には、第２高圧側スイッチングデバイス１２を第１高圧側スイッチングデバイスと称し、第１高圧側スイッチングデバイス１１を第２高圧側スイッチングデバイスと称し、第２インダクタ２を第１インダクタと称し、第１インダクタ１を第２インダクタと称するものとする。以下では、端子Ｔ２及びＧ側を負荷側として説明する。
【００３７】
上述のとおり、本実施の形態の昇降圧変換装置は、第１高圧側スイッチングデバイス１１と、第１高圧側スイッチングデバイス１１に一端を接続した第１インダクタ１と、第２高圧側スイッチングデバイス１２と、第２高圧側スイッチングデバイス１２に一端を接続した第２インダクタ２と、第１インダクタ１の他端及び第２インダクタ２の他端同士の接続点に一端を接続した第１低圧側スイッチングデバイス２３及びキャパシタ３の並列回路と、各スイッチングデバイスをオン／オフして所定の動作モードで動作させる制御部５０とを備える。なお、第２低圧側スイッチングデバイス２１、２２は必須の構成ではなく、省略することもできる。
【００３８】
次に、本実施の形態の昇降圧変換装置の動作について説明する。まず、昇圧動作（昇圧変換）について説明する。図２は本実施の形態の昇降圧変換装置の昇圧動作の状態Ｕ１の一例を示す説明図である。状態Ｕ１は、昇圧第１モードに対応する。図２に示すように、制御部５０は、第１高圧側スイッチングデバイス１１及び第１低圧側スイッチングデバイス２３をオンにして第１インダクタ１に電流を流す昇圧第１モードで動作させる。状態Ｕ１では、第２高圧側スイッチングデバイス１２、第２低圧側スイッチングデバイス２１、２２はオフである。第１低圧側スイッチングデバイス２３をオンにすることにより、第１インダクタ１にエネルギーが蓄積される。
【００３９】
図３は本実施の形態の昇降圧変換装置の昇圧動作の状態Ｕ２の一例を示す説明図である。状態Ｕ２は、昇圧第２モードに対応する。図３に示すように、制御部５０は、状態Ｕ１（昇圧第１モード）での動作後に第１低圧側スイッチングデバイス２３をオフにして第１インダクタ１及びキャパシタ３による共振電流を流す昇圧第２モードで動作させる。第１低圧側スイッチングデバイス２３をオフにすることにより、第１低圧側スイッチングデバイス２３を流れていた電流は、第１低圧側スイッチングデバイス２３に並列に接続されたキャパシタ３を通じて流れるようになり、キャパシタ３と第１インダクタ１との共振電流が流れる。
【００４０】
図４は本実施の形態の昇降圧変換装置の昇圧動作の状態Ｕ３の一例を示す説明図である。状態Ｕ３は、昇圧第３モードに対応する。図４に示すように、制御部５０は、状態Ｕ２（昇圧第２モード）での動作後に第２高圧側スイッチングデバイス１２をオンにして第１インダクタ１、第２インダクタ２及びキャパシタ３による共振電流を流す昇圧第３モードで動作させる。第１低圧側スイッチングデバイス２３、第２低圧側スイッチングデバイス２１、２２はオフである。キャパシタ３に共振電流が流れ、キャパシタ３の電圧が端子Ｔ２及びＧ間の電圧を超えると第２高圧側スイッチングデバイス１２を介して共振電流が負荷側へ流れる。また、キャパシタ３に蓄えられた電荷も負荷側へ流れる。状態Ｕ３では、キャパシタ３の共振電流の向きが状態Ｕ２の場合と比較して反転している。
【００４１】
図５は本実施の形態の昇降圧変換装置の昇圧動作の状態Ｕ４の一例を示す説明図である。状態Ｕ４は、昇圧第４モードに対応する。図５に示すように、制御部５０は、状態Ｕ３（昇圧第３モード）で第１低圧側スイッチングデバイス２３の電圧が所定の電圧閾値以下になった場合、第１低圧側スイッチングデバイス２３をオンにする昇圧第４モードで動作させる。状態Ｕ３（昇圧第３モード）で、キャパシタ３に蓄えられた電荷がなくなるとキャパシタ３の電圧、すなわち、第１低圧側スイッチングデバイス２３のドレイン・ソース間の電圧が所定の電圧閾値以下になる。この場合に、第１低圧側スイッチングデバイス２３をオンにすると、第１低圧側スイッチングデバイス２３の電圧は非常に小さいので、電圧×電流で表されるスイッチング損失を低減することができる。なお、キャパシタ３の電圧が０Ｖ又は０Ｖに近づくと、第１低圧側スイッチングデバイス２３のダイオードが逆バイアスから順バイアスとなり、当該ダイオードを通じて電流が流れる。
【００４２】
制御部５０は、状態Ｕ４（昇圧第４モード）での動作後に状態Ｕ１（昇圧第１モード）へ移行させる。
【００４３】
図６は本実施の形態の昇降圧変換装置の昇圧動作の状態Ｕ５の一例を示す説明図である。状態Ｕ５は、昇圧第５モードに対応する。図６に示すように、制御部５０は、状態Ｕ３（昇圧第３モード）で第２低圧側スイッチングデバイス２２をオンにする昇圧第５モードで動作させる。
【００４４】
状態Ｕ３（昇圧第３モード）では、キャパシタ３に蓄えられた電荷も負荷側へ流れるが、キャパシタ３に電荷が残留した場合には、キャパシタ３の電圧が十分小さくならない。そこで、第２低圧側スイッチングデバイス２２をオンにすることにより、キャパシタ３の電荷を第２インダクタ２及び第２低圧側スイッチングデバイス２２を通じて放出し、キャパシタ３の電圧を所定の電圧閾値以下にすることができる。制御部５０は、状態Ｕ５（昇圧第５モード）での動作後に、第２低圧側スイッチングデバイス２２をオフし、状態Ｕ４（昇圧第４モード）へ移行させ、第１低圧側スイッチングデバイス２３をオンにする。
【００４５】
また、制御部５０は、状態Ｕ４において、検出した第１低圧側スイッチングデバイス２３の電圧が電圧閾値以下である場合、第１低圧側スイッチングデバイス２３をオンにすることもできる。第１低圧側スイッチングデバイス２３の電圧が電圧閾値以下になった場合に、第１低圧側スイッチングデバイス２３をオンするので、第１低圧側スイッチングデバイス２３がオンしたときの電圧×電流で表されるスイッチング損失を低減することができる。
【００４６】
次に、本実施の形態の昇降圧変換装置の降圧動作（降圧変換）について説明する。図７は本実施の形態の昇降圧変換装置の降圧動作の状態Ｄ１の一例を示す説明図である。状態Ｄ１は、降圧第１モードに対応する。図７に示すように、制御部５０は、第１高圧側スイッチングデバイス１１及び第２高圧側スイッチングデバイス１２をオンにし、第１低圧側スイッチングデバイス２３をオフにして、第１インダクタ１及びキャパシタ３による共振電流を流す降圧第１モードで動作させる。第２低圧側スイッチングデバイス２１、２２はオフにする。
【００４７】
第１高圧側スイッチングデバイス１１及び第２高圧側スイッチングデバイス１２をオンにすることにより、端子Ｔ２及びＧ側（負荷側）へ電流が流れる。また、第１低圧側スイッチングデバイス２３をオンからオフにすることにより、第１低圧側スイッチングデバイス２３を流れていた電流がキャパシタ３に流れるようになり、第１インダクタ１及びキャパシタ３による共振電流がキャパシタに流れる。
【００４８】
図８は本実施の形態の昇降圧変換装置の降圧動作の状態Ｄ２の一例を示す説明図である。状態Ｄ２は、降圧第１モードに対応する。状態Ｄ２では、第１インダクタ１及びキャパシタ３による共振電流の向きが反転し、反転した共振電流が、第１高圧側スイッチングデバイス１１に流れる負荷電流と相殺され、第１高圧側スイッチングデバイス１１に流れる電流が減少する。
【００４９】
図９は本実施の形態の昇降圧変換装置の降圧動作の状態Ｄ３の一例を示す説明図である。状態Ｄ３は、降圧第２モードに対応する。図９に示すように、制御部５０は、状態Ｄ２（降圧第１モード）での動作後に第１高圧側スイッチングデバイス１１をオフにしてキャパシタ３の電荷を放出させる降圧第２モードで動作させる。
【００５０】
状態Ｄ２（降圧第１モード）で第１インダクタ１及びキャパシタ３による共振電流の向きが反転すると第１高圧側スイッチングデバイス１１に流れる電流が減少して０に近づく。第１高圧側スイッチングデバイス１１に流れる電流が０又は小さくなったときに第１高圧側スイッチングデバイス１１をオフにする。これにより、キャパシタ３の残留電荷を、第２高圧側スイッチングデバイス１２を通じて端子Ｔ２及びＧ側（負荷側）へ放出する。
【００５１】
図１０は本実施の形態の昇降圧変換装置の降圧動作の状態Ｄ４の一例を示す説明図である。状態Ｄ４は、降圧第３モードに対応する。図１０に示すように、制御部５０は、状態Ｄ３（降圧第２モード）で第１低圧側スイッチングデバイス２３の電圧が所定の電圧閾値以下になった場合、第１低圧側スイッチングデバイス２３をオンにする降圧第３モードで動作させる。
【００５２】
キャパシタ３の残留電荷が放出されることにより、キャパシタ３の電圧、すなわち第１低圧側スイッチングデバイス２３の電圧が所定の電圧閾値以下になった場合、第１低圧側スイッチングデバイス２３をオンにする。第１低圧側スイッチングデバイス２３の電圧は非常に小さいので、電圧×電流で表されるスイッチング損失を低減することができる。また、状態Ｄ４では、第１低圧側スイッチングデバイス２３のダイオードが逆バイアスから順バイアスとなり、当該ダイオードを通じて電流が流れる。制御部５０は、状態Ｄ４（降圧第３モード）での動作後に状態Ｄ１（降圧第１モード）へ移行させる。
【００５３】
図１１は本実施の形態の昇降圧変換装置の降圧動作の状態Ｄ５の一例を示す説明図である。状態Ｄ５は、降圧第４モードに対応する。図１１に示すように、制御部５０は、状態Ｄ３（降圧第２モード）で第２低圧側スイッチングデバイス２２をオンにする降圧第４モードで動作させる。
【００５４】
状態Ｄ３（降圧第２モード）では、第１高圧側スイッチングデバイス１１をオフにしてキャパシタ３の電荷を放出させる。しかし、キャパシタ３に電荷が残留した場合には、キャパシタ３の電圧が十分小さくならない。そこで、第２低圧側スイッチングデバイス２２をオンにすることにより、キャパシタ３の電荷を第２インダクタ２及び第２低圧側スイッチングデバイス２２を通じて放出し、キャパシタ３の電圧を所定の電圧閾値以下にすることができる。制御部５０は、状態Ｄ３（降圧第２モード）で第１低圧側スイッチングデバイス２３をオンし、第２低圧側スイッチングデバイス２２をオフした後に状態Ｄ４（降圧第３モード）へ移行させる。
【００５５】
また、制御部５０は、状態Ｄ４において、検出した第１低圧側スイッチングデバイス２３の電圧が電圧閾値以下である場合、第１低圧側スイッチングデバイス２３をオンにすることもできる。第１低圧側スイッチングデバイス２３の電圧が電圧閾値以下になった場合に、第１低圧側スイッチングデバイス２３をオンするので、第１低圧側スイッチングデバイス２３がオンしたときの電圧×電流で表されるスイッチング損失を低減することができる。
【００５６】
次に、本実施の形態の昇降圧変換装置の変換動作の処理手順について説明する。図１２は本実施の形態の昇降圧変換装置の変換動作の処理手順の第１例を示すフローチャートである。制御部５０は、入力電圧＜出力電圧であるか否かを判定し（Ｓ１１）、入力電圧＜出力電圧である場合（Ｓ１１でＹＥＳ）、昇圧変換を開始する（Ｓ１２）。制御部５０は、第１高圧側スイッチングデバイス１１及び第１低圧側スイッチングデバイス２３をオンして昇圧第１モードで動作させる（Ｓ１３）。
【００５７】
制御部５０は、第１低圧側スイッチングデバイス２３をオフして昇圧第２モードで動作させ（Ｓ１４）、第２高圧側スイッチングデバイス１２をオンして昇圧第３モードで動作させる（Ｓ１５）。制御部５０は、第１低圧側スイッチングデバイス２３の電圧が所定の電圧閾値以下であるか否かを判定し（Ｓ１６）、第１低圧側スイッチングデバイス２３の電圧が所定の電圧閾値以下でない場合（Ｓ１６でＮＯ）、ステップＳ１６の処理を続ける。
【００５８】
第１低圧側スイッチングデバイス２３の電圧が所定の電圧閾値以下である場合（Ｓ１６でＹＥＳ）、制御部５０は、第１低圧側スイッチングデバイス２３をオンして昇圧第４モードで動作させ（Ｓ１７）、昇圧変換を終了するか否かを判定する（Ｓ１８）。昇圧変換を終了しない場合（Ｓ１８でＮＯ）、制御部５０は、ステップＳ１３以降の処理を続け、昇圧変換を終了する場合（Ｓ１８でＹＥＳ）、処理を終了する。
【００５９】
入力電圧＜出力電圧でない場合（Ｓ１１でＮＯ）、制御部５０は、降圧変換を開始する（Ｓ１９）。制御部５０は、第１高圧側スイッチングデバイス１１及び第２高圧側スイッチングデバイス１２をオンし、第１低圧側スイッチングデバイス２３をオフして降圧第１モードで動作させる（Ｓ２０）。
【００６０】
制御部５０は、第１高圧側スイッチングデバイス１１をオフして降圧第２モードで動作させ（Ｓ２１）、第１低圧側スイッチングデバイス２３の電圧が所定の電圧閾値以下であるか否かを判定する（Ｓ２２）。第１低圧側スイッチングデバイス２３の電圧が所定の電圧閾値以下でない場合（Ｓ２２でＮＯ）、制御部５０は、ステップＳ２２の処理を続ける。
【００６１】
第１低圧側スイッチングデバイス２３の電圧が所定の電圧閾値以下である場合（Ｓ２２でＹＥＳ）、制御部５０は、第１低圧側スイッチングデバイス２３をオンして降圧第３モードで動作させ（Ｓ２３）、降圧変換を終了するか否かを判定する（Ｓ２４）。高圧変換を終了しない場合（Ｓ２４でＮＯ）、制御部５０は、ステップＳ２０以降の処理を続け、降圧変換を終了する場合（Ｓ２４でＹＥＳ）、処理を終了する。
【００６２】
図１３は本実施の形態の昇降圧変換装置の変換動作の処理手順の第２例を示すフローチャートである。制御部５０は、入力電圧＜出力電圧であるか否かを判定し（Ｓ３１）、入力電圧＜出力電圧である場合（Ｓ３１でＹＥＳ）、昇圧変換を開始する（Ｓ３２）。制御部５０は、第１高圧側スイッチングデバイス１１及び第１低圧側スイッチングデバイス２３をオンして昇圧第１モードで動作させる（Ｓ３３）。
【００６３】
制御部５０は、第１低圧側スイッチングデバイス２３をオフして昇圧第２モードで動作させ（Ｓ３４）、第２高圧側スイッチングデバイス１２をオンして昇圧第３モードで動作させる（Ｓ３５）。制御部５０は、第２低圧側スイッチングデバイス２２をオンして昇圧第５モードで動作させ（Ｓ３６）、第１低圧側スイッチングデバイス２３をオンして昇圧第４モードで動作させる（Ｓ３７）。
【００６４】
制御部５０は、第２低圧側スイッチングデバイス２２をオフし（Ｓ３８）、昇圧変換を終了するか否かを判定する（Ｓ３９）。昇圧変換を終了しない場合（Ｓ３９でＮＯ）、制御部５０は、ステップＳ３３以降の処理を続け、昇圧変換を終了する場合（Ｓ３９でＹＥＳ）、処理を終了する。
【００６５】
入力電圧＜出力電圧でない場合（Ｓ３１でＮＯ）、制御部５０は、降圧変換を開始する（Ｓ４０）。制御部５０は、第１高圧側スイッチングデバイス１１及び第２高圧側スイッチングデバイス１２をオンし、第１低圧側スイッチングデバイス２３をオフして降圧第１モードで動作させる（Ｓ４１）。
【００６６】
制御部５０は、第１高圧側スイッチングデバイス１１をオフして降圧第２モードで動作させ（Ｓ４２）、第２低圧側スイッチングデバイス２２をオンして降圧第４モードで動作させ（Ｓ４３）、第１低圧側スイッチングデバイス２３をオンして昇圧第３モードで動作させる（Ｓ４４）。
【００６７】
制御部５０は、第２低圧側スイッチングデバイス２２をオフし（Ｓ４５）、降圧変換を終了するか否かを判定する（Ｓ４６）。高圧変換を終了しない場合（Ｓ４６でＮＯ）、制御部５０は、ステップＳ４１以降の処理を続け、降圧変換を終了する場合（Ｓ４６でＹＥＳ）、処理を終了する。
【００６８】
本実施の形態の昇降圧変換装置の制御方法は、制御部５０を、例えば、ＣＰＵ（プロセッサ）、ＲＡＭ（メモリ）などで構成し、図１２及び図１３に示すような、各処理の手順を定めたコンピュータプログラムをＲＡＭ（メモリ）にロードし、コンピュータプログラムをＣＰＵ（プロセッサ）で実行することにより、コンピュータ上で昇降圧変換装置の制御方法を実現することができる。
【００６９】
以上に開示された実施の形態及び実施例は、全ての点で例示であって制限的なものではないと考慮されるべきである。本発明の範囲は、以上の実施の形態及び実施例ではなく、特許請求の範囲によって示され、特許請求の範囲と均等の意味及び範囲内での全ての修正や変形を含むものと意図される。
【符号の説明】
【００７０】
１  第１インダクタ
２  第２インダクタ
３  キャパシタ
１１  第１高圧側スイッチングデバイス
１２  第２高圧側スイッチングデバイス
２１、２２  第２低圧側スイッチングデバイス
２３  第１低圧側スイッチングデバイス
５０  制御部
【図１】
2017184556.tif 000003
【図２】
2017184556.tif 000004
【図３】
2017184556.tif 000005
【図４】
2017184556.tif 000006
【図５】
2017184556.tif 000007
【図６】
2017184556.tif 000008
【図７】
2017184556.tif 000009
【図８】
2017184556.tif 000010
【図９】
2017184556.tif 000011
【図１０】
2017184556.tif 000012
【図１１】
2017184556.tif 000013
【図１２】
2017184556.tif 000014
【図１３】
2017184556.tif 000015